(57)【要約】【課題】従来の床掃除具は、平らな床面を軽い操作で掃除することが主であった。従って段差部や凸凹面の掃除は目的別に専用の掃除具を使い分けて掃除していた。【解決手段】硬い本体１の下面に三角形状の柔らかい発泡体５を貼着した構造でシート６を装着する事により、シート面６Ａ６Ｂが２面にて構成され、本体１が揺動運動する事によって床面を強く押圧して優れた拭き取り効果を発揮すると同時に小さい段差部や凸凹面に於いても表面の形状に順応密接して清拭きが出来る。【選択図】  図１
2007167092.tif 000002
【特許請求の範囲】
【請求項１】
長方形状の硬い本体1の上面中央に設置した自在継手部２を介して柄３が連結され、四隅にはシート６を挟む切込みのシート装着部４が設けてあり、下面は三角形状した柔軟性発泡体５が貼着された構成でシート６を装着する事により、シート面６Ａ６Ｂが２面にて構成され上面の自在継手部２と下面の三角形状の柔軟性発泡体５との間で柄３を動かす事により本体１が揺動運動する事を特徴とする床掃除具。
【請求項２】
前記自在継手部２を締緩する事により回動範囲を規制する機構を設けた請求項１記載の床掃除具。
【発明の詳細な説明】
【技術分野】
【０００１】
本発明はドライシートあるいはウエットシート等を装着して床面や平面状以外の段差部をも掃除を行う床掃除具に関する。
【背景技術】
【０００２】
従来の家庭用床掃除具はドライシートあるいはウエットシート及びモップ作業はそれぞれ目的別に専用の掃除具が使われていた。
【特許文献１】特開平１１−２９０２５５
【発明の開示】
【発明が解決しようとする課題】
【０００３】
以上に述べた床掃除具はそれぞれ各目的に応じた専用の掃除具を使い解決していた。従って多種類に分かれての保管、管理が大変であった。
【０００４】
現在は家屋の建築様式が変化し、掃除範囲も多様化して、手軽なワイパーと称する床掃除具に於いては軽く拭くだけが強調されている。床の表面を軽くこするだけではキレイに拭ききれない現状である。従来品は本体１の下面に発泡体は付いているが硬く指で押しても凹みづらく柔軟性に乏しく床を軽く拭くと、滑る様な感覚で、化学調味料等のシミやこびり付いた汚れ等の場合は解消されない。
【０００５】
床や畳の表面の掃除のみならず、バリアフリー様式の小さい段差があちこちに見受けられる（小さい段差とは、３〜５mmである）、従来の床掃除具のワイパーでは段差上で拭き操作をしてもシート面が段差下の範囲まで届かず離れた状態になり、キレイに拭けない。
【０００６】
本発明はこの様な種々の問題を解決しようとするものであり上記欠点の視点を変える事により効果的は床掃除具を実現することを目的とする。
【課題を解決するための手段】
【０００７】
そして本発明は上記目的を達成するために掃除方法を一種類の床掃除具で解決する方法を提案する。
長方形状の硬い本体１の上面に設置した、自在継手部２を介して柄３が連結され、四隅にはシート６を挟む切込みのシート装着部４が設けてあり、下面には三角形状した柔軟性発泡体５が貼着された構成に成っている、シート６を装着する事により、シート面６Ａ６Ｂが２面にて構成され上面の自在継手部２と下面の三角形状の発泡体５との間で柄３を動かす事により本体１が揺動運動する。
【０００８】
上記第一の課題解決手段による作用は次の通りである、シート６を横向きに構えて柄３を前進させるとシート面６Ａ６Ｂのすべり抵抗で回転モーメントが生じシート面６Ａ６Ｂが床面を強く押圧するのでシミやこびり付いた汚れもきれいに拭き取る事ができる。
【０００９】
次の課題解決は段差部の掃除について、階段の踏面の段差、引き戸の敷居、カマチの段差等に対して本体１を縦の向きに構えて使用する、そして柄３は横に動かす事により段差範囲を清拭きされる。（図６、７，８参照）
【発明の効果】
【００１０】
本発明の床掃除具は横向き仕様で本体１の三角形状のシート面６Ａ６Ｂは二面体の揺動運動効果によりシート面６Ａ６Ｂが床面を強く押圧するため、従来の平面底の床掃除具では落ちない化学調味料等のシミやこびり付いた汚れもきれいに拭き取り効果が優れている。
【００１１】
本体１を横向き仕様で段差部の掃除について階段の踏面の段差、引き戸の敷居、カマチの段差等に対して柄３は直角方向（図６、７、８参照）に動かすと三角形状の柔軟性発泡体５の効果として段差範囲を、シート面６Ａ６Ｂが段差の外形に応じて発泡体５が順応して全面密着し境界面を作り、清拭きする効果を発揮する。
【００１２】
柔軟性発泡体５の体積が従来品に比して大きいのでドライシートを使用して往復運動すると摩擦により静電気が多量に発生するので、ゴミや毛髪が従来品に比して吸着力が強く確実に吸着する
【００１３】
大きい窓ガラスの拭き掃除では高所をきれいに拭くのに効果を発揮するのは本体１が揺動運動して強い押圧力で拭く事が出来る、又、柄３の長さを高所に適用する為に柄３の長さを伸縮自在にすると更に効果が向上する。
【発明の実施の形態】
【００１４】
まず本体の第一実施形態を図１、図２を参照して説明する。
【００１５】
長方形状の硬い本体１を上面の中央に設置した、自在継手部２を介して柄３が連結され、四隅にはシート６を挟む切込みのシート装着部４が設けてあり、下面は屋根の切妻形の三角形状した適当な高さの柔軟性発泡体５が貼着され構成されている。上記構成の動作及び作用を説明する、シート６の取り付け方法は従来品と同じ手順で行う、初めにシート６を広げて本体１をほぼ中央にて包囲する、上面に折り返し四隅のシート装着部４に押し込んで、装着すると掃除するシート面６Ａ６Ｂが２面に構成される。
【００１６】
柔軟性発泡体５は発泡ウレタンで指で押すと底まで沈む柔らかさのため小さい段差（３〜５mm）は柄３で上から押し付けると段差面に良く順応し段差の上下面まで清拭き出来る、
【００１７】
渋動機構とは本体１と柄３に於いて姿勢を保持させるために自在継手部２の中間継手２Ｄと柄側の継手２Ａを  締付軸２Ｂ”を貫通させ中間継手２Ｄを挟み込み柄側の継手２Ａの外から締めたり緩めたりする事を偏芯カム2Ｂ又は蝶ナット２Ｃが設置してあり、これを締める事により自在継手部２が渋く動く、これを渋動機構と称する。床や畳の表面の掃除はこの機構を自由開放して置く。
【００１８】
基本の動作は本体１を横向きにして前進、後退、の往復の操作すると、本体１が揺動運動する、即ち、本体１下面の三角形の頂点を基点Ｐとして前進させると前進側のシート面６Ａが床面に着接する、次に手前に引き後退させると手前側のシート面６Ｂが床面に着接する、従って柄３の操作を前進、後退、の往復の操作すると、本体１が傾き交互に揺動運動を行う（図３、図４参照）
【００１９】
作用として本体１を横向きにして前進させると下面の三角形頂点のシート面６Ａの基点Ｐが床接する、更に自在継手２を前進させるとシート面６Ａにスベリ抵抗Ｒが生じ、基点Ｐを中心に回転モーメントが生じる。結果シート面６Ａを強く押圧する力Ｍが発生する。故に、シート６がドライシートの時のスベリ抵抗Rより、ウエットシートの使用時の方が、スベリ抵抗Ｒが大きい、従って、シート面６Ａを強く押圧する力Ｍも強くなるので最大の拭き取り効果となる（図５参照）。
【００２０】
大きな窓のガラス拭きには、本体１の揺動運動によりガラス面を強く押圧して拭く事ができる、高所へ届かせるには、柄３の長さを伸ばす伸縮可能にする必要があり、又、長く伸ばした場合、本体１の姿勢を保持安定させるため、自在継手部２を渋動させる必要がある、柄３側の継手２Ａに偏芯カム２Ｂは蝶ナット２Ｃを設置して締緩可能にする、この場合は締める事により本体１の姿勢を保つ事が出来る。左様に、必要に応じて使い分ける。但し、通常は解除して置く。
【図面の簡単な説明】
【００２１】
【図１】本発明の実施形態を示す床掃除具で半分は本体１にシートを装着した外観図
【図２】同シートを装着した下面の外観図
【図３】掃除体勢で前進行程の進行中のシート面６Ａが床に着接を示す図
【図４】同後退行程を示す図
【図５】前進行程の原理作用の行程を示す図
【図６】階段に対して床掃除具を縦向きに置いたシート面６Ａが床に着接を示す図
【図７】同上を横方向に操作する説明図
【図８】引き戸の敷居段差に対して床掃除具を縦向きに置いたシート面６Ａが床に着接を示す図
【図９】自在継手部２を偏芯カム2Ｂで渋動する装置の分解図
【図１０】自在継手部２を蝶ナット２Ｃで渋動する装置の分解図
【符号の説明】
【００２２】
Ｐ      基点
Ｗ      作用点
Ｍ      回転モーメントの下方向圧力
Ｒ      スベリ抵抗
２Ａ    柄側の継手
２Ｂ    偏芯カム
２Ｂ’  ノックピン
２Ｂ”    締付軸
２Ｃ    蝶ナット
２Ｃ’  締付ネジ
【図１】
2007167092.tif 000003
【図２】
2007167092.tif 000004
【図３】
2007167092.tif 000005
【図４】
2007167092.tif 000006
【図５】
2007167092.tif 000007
【図６】
2007167092.tif 000008
【図７】
2007167092.tif 000009
【図８】
2007167092.tif 000010
【図９】
2007167092.tif 000011
【図１０】
2007167092.tif 000012